(57)【特許請求の範囲】
【請求項１】
長方形状の台紙と、該台紙と同形状同サイズに形成され該台紙に剥離可能に接着されたシート体とを備えた台紙付ラベルであって、
前記台紙は、該台紙の短辺の一端部を始端として直線的に長辺方向に切り込まれ、前記短辺の他端部の手前位置を終端とする台紙切込線を有し、
前記シート体には、その長辺方向及び短辺方向に連続する複数のラベルが形成されており、前記長辺方向に形成されたシート体切込線が、前記台紙切込線と重複しておらず、
前記シート体は、その短辺において前記台紙切込線と重複するように切り込まれた導入切込線と、該導入切込線から前記シート体切込線にかけて斜めに切り込まれた誘導切込線とを有することを特徴とする台紙付ラベル。
【請求項２】
請求項１において、
前記ラベルは、そのひとつのコーナー部が方形に切り欠かれていることを特徴とする台紙付ラベル。
【発明の詳細な説明】
【技術分野】
【０００１】
本発明は、台紙と、台紙に剥離可能に接着されたシート体とを備えた台紙付ラベルに関する。
【背景技術】
【０００２】
従来より、台紙付ラベルにおいては、ラベルの表面をプリンタで印刷するもの等が知られている。
このような台紙付ラベルとしては、台紙とシート体とを同じ形状且つ同じサイズとし、容易に台紙からシート体等が剥離されないよう強固に貼着されているため、台紙からラベルを剥がしにくいという問題がある。
【０００３】
そこで台紙からラベルを剥がしやすくしたものとしては、以下の特許文献が挙げられる。
例えば下記特許文献１には、ラベルを貼着する台紙に第１のラベルと第２のラベルの境目付近、及びこれに続く第２のラベルの左右両側付近にコの字形のスリットを設けたものが開示されている。
これによれば、２つ１組のラベルのうち、第１のラベルを台紙より剥がすとき、第２のラベルの裏に台紙が付いたまま残すことができるとされている。
【先行技術文献】
【特許文献】
【０００４】
【特許文献１】特開平６−５９６３０号公報
【発明の概要】
【発明が解決しようとする課題】
【０００５】
しかしながら、プリンタで印刷可能な台紙付ラベルとする場合、台紙とシート体の大きさを異ならせたり、ラベルを剥がしやすいようにシート体につまみ部などを形成すると、プリンタ内でシート体やラベルが剥がれて紙詰まり（ジャム）の原因となってしまう。
特に上記特許文献１に記載のもののようにシート体より台紙が大きい場合は、シート体の縁部と台紙との間に小さな段差が形成されるため、その段差がジャムの要因になってしまう。
【０００６】
本発明は、上記実情に鑑みなされたものであり、プリンタでの印刷時に紙詰まりが生じにくく、台紙からラベルが剥がしやすい台紙付ラベルを提供することを目的とする。
【課題を解決するための手段】
【０００７】
本発明に係る台紙付ラベルは、長方形状の台紙と、該台紙と同形状同サイズに形成され該台紙に剥離可能に接着されたシート体とを備えた台紙付ラベルであって、前記台紙は、該台紙の短辺の一端部を始端として直線的に長辺方向に切り込まれ、前記短辺の他端部の手前位置を終端とする台紙切込線を有し、前記シート体には、その長辺方向及び短辺方向に連続する複数のラベルが形成されており、前記長辺方向に形成されたシート体切込線が、前記台紙切込線と重複しておらず、前記シート体は、その短辺において前記台紙切込線と重複するように切り込まれた導入切込線と、該導入切込線から前記シート体切込線にかけて斜めに切り込まれた誘導切込線とを有することを特徴とする。
これによれば、例えば台紙切込線に沿って台紙の一部をシート体から引き剥がして分離させれば、台紙切込線がシート体切込線と重複しないように形成されているので、引き剥がした台紙に接着されていたラベルの端部を一部露出させることができる。そしてラベルの端部を一部露出させることができれば、その露出部分がとり代となり、このとり代を指でつまめばラベルを容易に剥がすことができる。
また台紙切込線が台紙の短辺の一端部を始端として直線的に長辺方向に切り込まれ、前記短辺の他端部の手前位置を終端とするように形成されている。すなわち、台紙には台紙切込線が形成されていない領域があるので、プリンタで台紙付ラベルを印刷する際に、台紙切込線が形成されていない領域側から紙送りすれば、プリンタ内でのジャムを防ぐことができる。
また、導入切込線と台紙切込線とが重複するように切り込まれているので、シート体の導入切込線の形成位置を目印としそこから台紙切込線に沿って台紙の一部をシート体から引き剥がすことができる。そしてこのとき、誘導切込線がなければ、台紙の一部を引き剥がすときにラベルの端部が台紙と一緒に引き剥がされそうになりラベルの一部を破いてしまうことがある。しかしこれによれば、導入切込線からシート体切込線にかけて斜めに切り込まれた誘導切込線が形成されているので、ラベルを破くことなくスムーズに台紙の一部をシート体から引き剥がすことができる。
【０００９】
本発明において、ラベルは、そのひとつのコーナー部が方形に切り欠かれているものとしてもよい。
これによれば、コーナー部のひとつが方形に切り欠かれているので箱などの３面角部に貼り付けられる３面ラベルといった手作業で貼り付ける必要があるものでも、台紙からスムーズにラベルを剥がすことができ、作業が楽になる。
【発明の効果】
【００１０】
本発明に係る台紙付ラベルによれば、プリンタでの印刷時に紙詰まり（ジャム）が生じにくく、台紙からラベルを容易に剥がすことができる。
【図面の簡単な説明】
【００１１】
【図１】（ａ）は本発明に係る台紙付ラベルの一実施形態における台紙を示す概略平面図であり、（ｂ）は同台紙付ラベルの一実施形態におけるシート体を示す概略平面図である。
【図２】（ａ）及び（ｂ）は同台紙付ラベルの台紙からラベルを剥がそうとする過程を示した図である。
【図３】同台紙付ラベルにおいて、台紙の一部を分離した状態を示した図である。
【図４】同台紙付ラベルのラベルが箱に貼り付けられた状態を概略斜視図である。
【発明を実施するための形態】
【００１２】
以下に本発明における実施の形態の一例について、図１〜図４に基づいて説明する。
図に示した台紙付ラベル１は、台紙２と、該台紙２に剥離可能に接着されたシート体３とを備えている。台紙２とシート体３とは長方形からなり双方が同じサイズにそれぞれ形成されており、粘着剤層（不図示）を介して同方向に重ね合わされ、台紙２からシート体３が剥離されるまでは一体となっている。
図１（ｂ）に示すようにシート体３には長辺方向及び短辺方向に連続して所定の形状に切り込まれて複数のラベル３ａが形成されている。
シート体３の裏面に形成された粘着剤層は、台紙２からラベル３ａを剥離可能とし、また剥離されたラベル３ａを図４のように直方体からなる箱４などに貼着可能としている。
【００１３】
台紙２は特に限定されないが、例えば天然紙、ポリエチレン、ポリプロピレン等からなる合成樹脂フィルム、などを用いることができる。台紙２の表面（ラベル３との接着面）には、粘着剤層からの剥離性を高めるため、シリコーン処理、フッ素処理等の剥離処理が施されていることが好ましい。
シート体３は特に限定されないが、従来より記録紙として使用されているものの中から、任意のものを適宜用いることができる。
例えば、天然紙、インクジェット用記録用紙、ポリエチレン、ポリプロピレン等の合成樹脂フィルムからなるフィルム系記録用紙などを用いることができる。
粘着剤層を形成する粘着剤も特に限定されるものではないが、従来より感圧性接着剤として使用されているものの中から任意に選択して用いることができる。
例えば、アクリル系粘着剤、シリコーン系粘着剤、ポリウレタン系粘着剤、エポキシ系粘着剤、ポリエチレン系粘着剤、ポリエステル系粘着剤等を用いることができる。
【００１４】
図１（ａ）及び図１（ｂ）を参照しながら、台紙２及びシート体３について説明する。図中、２１は台紙２の短辺、２２は台紙２の長辺、３１はシート体３の短辺、３２はシート体３の長辺を示している。シート体３は切込みによって、ラベル３ａと残り代３ｃとに分離され、図中３ｂはラベル３ａの切欠部、３ｄはラベル３ａの一縁部、３ｅはとり代を示している。
台紙２には長辺方向に台紙切込線２０が複数形成されている。台紙切込線２０の数はラベル３ａが形成される枚数によって異なるが、図１（ａ）では長辺２２と平行に３本の台紙切込線２０が形成された例を示している。
この台紙切込線２０は、短辺２１の一端部を始端として直線的に長辺方向に切り込まれ、短辺２１の他端部の手前位置を終端としている。すなわち、台紙２のシート体３の導入切込線３０ａが形成されていない他方の短辺３１と対向する領域には、台紙切込線２０が形成されていない。
これに対応してシート体３には長辺方向に且つ台紙切込線２０と重複しないようにシート体切込線３０が複数形成されている。
図１（ｂ）では長辺２２と平行に３本のシート体切込線３０が形成された例を示しており、シート体切込線３０は、台紙切込線２０より外方に台紙切込線２０と平行に所定幅だけずれた位置に形成されている。
【００１５】
図１（ａ）及び図１（ｂ）に示す白抜矢印５はプリンタ（不図示）で台紙付ラベル１を印刷する際の紙送りの方向を示しており、このように台紙切込線２０が形成されていない領域側から紙送りすれば、プリンタにはじめに導入される台紙２及びシート体３の部分にはなんら切込線が形成されていないので、ひっかかる場所がなく、プリンタ内でのジャムの発生を防ぐことができる。
なお、台紙切込線２０が形成されていない領域（台紙切込線２０の終端と台紙２の短辺２１まで）の寸法は、特に限定されるものではないが、例えば約１０ｍｍ〜２０ｍｍ程度残すことが望ましい。確実にプリンタ内でのジャムの発生を防止するためである。
【００１６】
シート体３は、その短辺３１において台紙切込線２０と重複するように切り込まれた導入切込線３０ａと、該導入切込線３０ａからシート体切込線３０にかけて斜めに切り込まれた誘導切込線３０ｂとを有している（図１（ｂ）拡大図参照）。よってこの誘導切込線３０ｂの一端部は導入切込線３０ａと繋がっており、誘導切込線３０ｂの他端部はシート切込線３０と繋がっている。
また誘導切込線３０ｂとシート切込線３０の境界部分にラベル３ａのコーナー部のひとつが形成され、導入切込線３０ａと誘導切込線３０ｂとによって三角片３０ｃが形成される。
【００１７】
シート体３にはラベル３ａが所定の形状をなすように区画された切込線が長辺方向及び短辺方向に入れられ、図に示した例は１列に３枚のラベル３ａが連続して形成されている。そして、これが同じように短手方向に３列並列に形成され、シート体切込線３０はこのラベル３ａの一縁部３ｄの切込線となるよう形成されている。ここに形成されているラベル３ａの形状は、長方形のコーナー部に方形に切り欠かれた切欠部３ｂを有する形状とし、このような形状のラベル３ａは図４に示すように箱４の３面角部に貼り付けられる３面ラベルとすることができる。
【００１８】
そしてこの切欠部３ｂの形成位置は、プリンタで印刷する際の紙送り方向（図１の白抜矢印参照）からみてラベル３ａの後方コーナー部が好ましい。この位置に切欠部３ｂを形成することにより、プリンタにはじめに導入される側にひっかかりとなる可能性がある切込線がないので、プリンタ内でのジャムの発生を防ぐことができる
またこの切欠部３ｂは台紙切込線２０が形成されていない側のコーナー部に形成されることが望ましい。台紙切込線２０が形成されている側に切込部３ｂが形成されていると、誘導切込線３０ｂとシート切込線３０の境界部分にラベル３ａのコーナー部の片側が形成されず、台紙切込線２０に沿って台紙２の一部を引き剥がす際に残り代３ｃとなる部分が増え、台紙２の一部をスムーズに分離しにくくなる。
【００１９】
以上によれば、例えば台紙切込線２０に沿って台紙２の一部をシート体３から引き剥がせば、台紙切込線２０がシート体切込線３０と重複しないように形成されているので、引き剥がした台紙２に接着されていたラベル３ａの一縁部３ｄを一部露出させることができる。そしてラベル３ａの一縁部３ｄを一部露出させることができれば、その露出部分をとり代３ｅとして指でつまみやすくなり、ラベル３ａを容易に剥がすことができる。
また台紙切込線２０が台紙２の短辺２１の一端部を始端として直線的に長辺方向に切り込まれ、短辺２１の他端部の手前位置を終端とするように形成されている。すなわち、台紙２には台紙切込線２０が形成されていない領域（図１（ａ）参照）があるので、プリンタで台紙付ラベル１を印刷する際に、台紙切込線２０が形成されていない領域側から紙送りすれば、プリンタ内でのジャムを防ぐことができる。
またシール体３に上述の導入切込線３０ａと誘導切込線３０ｂがあるので、剥がしにくい端に形成されたラベル３ａを台紙２から無理なく剥がすことができる。詳しくは後述する。
【００２０】
次に図２、図３を参照しながら、台紙付ラベル１の台紙２からラベル３ａを剥がす手順の一例について説明する。なお、ここで説明するのは一例であって、ラベル３ａを剥がしていく順序はこれに限定されるものではない。
まず長手方向縦向きに台紙付ラベル１を持ち、台紙付ラベル１の隅部の残り代３ｃを右手で持ち、左手で導入切込線３０ａの形成位置の近傍を持つ。
残り代３ｃを持った右手を下方に向かってシート体３と台紙２とが剥がれるように力をかけると（図２（ａ）参照）、台紙切込線２０に沿って台紙２の一部がそこに貼着された残り代３ｃとともに分離される（図２（ｂ）参照）。このとき台紙２は予め台紙切込線２０によって切り目が入れられているから分離するときに大きな力が必要ない。また導入切込線３０ａからシート体切込線３０にかけて斜めに切り込まれた誘導切込線３０ｂが形成され、これら切込線３０ａ，３０ｂによって形成される三角片３０ｃを挟んでラベル３ａが形成されている。よってラベル３ａを破くことなくスムーズに台紙２の一部をシート体３から引き剥がすことができる。
【００２１】
そしてそのまま一気に台紙切込線２０の終端まで台紙２の一部を残り代３ｃとともに分離したら、台紙切込線２０が形成されていない部分を両手でもって千切って切り離す。すると紙面右側に端に３枚形成されたラベル３ａの紙面右側一縁部３ｄの貼着面が露出する（図３）。
この状態となったら、この露出部分がとり代３ｅとなり、このとり代３ｅを指でつまんで台紙２からラベル３ａを順次剥がしていけばよい。
そしてこのように剥がしたラベル３ａは図４に示すような箱４の３面角部に貼り付けることができる。
【００２２】
また紙面右端の長手方向に並んだ１列目のラベル３ａの貼り付けが終わったら、２列目もほぼ同じ要領でラベル３ａを剥がしていくことができる。
このときラベル３ａを剥がした後の台紙２が邪魔な場合は台紙切込線２０が形成されていない箇所を千切って処理してしまってもよいし、台紙２を残したまま貼り付け作業を行ってもよい。台紙２を千切っていかない場合は、台紙２がバラバラにならないので後始末が楽になる。
いずれの場合も台紙切込線２０とシール体切込線３０とが重複しないように形成されているので、ラベル３ａの一縁部３ｄが露出してとり代３ｅとなり、ラベル３ａを容易に剥がしていくことができる。
また手作業で貼り付ける必要がある３面ラベルであってもこのように容易に台紙２からラベル３ａを連続して剥がすことができるので、作業効率の向上を図ることができる。
【００２３】
なお、台紙付ラベル１の形状、構成は図例に限定されるものではなく、ラベル３ａの形状や配列の仕方も図例に限定されるものではない。例えば切欠部３ｂのない方形のラベル１であってもよいし、切欠部３ｂが複数ある形状でもよい。また図例のものは１シートに３×３計９個のラベル３ａが形成された例を示したが、これに限定されず、３×５としてもよいし、３×６などとしてもよい。
【符号の説明】
【００２４】
１      台紙付ラベル
２      台紙
２１      短辺
２２      長辺
２０      台紙切込線
３      シート体
３ａ      ラベル
３０      シート体切込線
【図１】
0005426981.tif 000002
【図２】
0005426981.tif 000003
【図３】
0005426981.tif 000004
【図４】
0005426981.tif 000005